(57)【要約】【課題】電気的な構成を設けるスペースを十分に確保可能であると共に、モータ部の共通化を図ることが可能な電動ポンプを提供する。【解決手段】電動ポンプ１０は、モータカバー２１の開口側に取り付けられるエンドキャップ２２と一体的に設けられる電源バスバー２７を備えるモータ部２０と、ベーン３３を収納するベーン溝３２２を備えるロータ３２を備え、外壁部３１１とカムリング３１３とが一体的に設けられるポンププレート３１を備えるポンプ部３０と、ポンプ部３０を覆うと共に、差込凹部４５ａを囲むコネクタボックス４５を備えるカバー４０とを備え、ポンププレート３１には、電源バスバー２７を挿通可能な貫通孔３１７が設けられ、この貫通孔３１７を挿通する電源バスバー２７には配線２８が挿通され、配線２８は貫通孔３１７の先端側から突出し、配線２８は差込凹部４５ａに設けられる接続部４６に対して電気的に接続される。【選択図】図１
2014025412.tif 000002
【特許請求の範囲】
【請求項１】
回転軸を備えると共に、モータカバーの開口側に取り付けられるエンドキャップを備え、このエンドキャップと一体的に設けられ、かつモータカバーの底部から離れる側に向かって延伸する電源バスバーを備えるモータ部と、
ベーンを収納するベーン溝を備えると共に前記回転軸に連結されるロータを備え、外壁部と前記ベーンが摺動するカムリングとが一体的に設けられるポンププレートを備えるポンプ部と、
前記ポンプ部を前記モータ部とは反対側から覆うと共に、前記電源バスバーが差し込まれる差込凹部を囲むコネクタボックスを備えるカバーと、
を備え、
前記ポンププレートには、前記電源バスバーを挿通させることが可能な貫通孔が設けられていて、この貫通孔を挿通する前記電源バスバーには配線が挿通され、前記配線は前記貫通孔の先端側から突出していると共に、前記配線は前記差込凹部に設けられる接続部に対して電気的に接続される、
ことを特徴とする電動ポンプ。
【請求項２】
請求項１記載の電動ポンプであって、
前記ポンププレートには、前記カムリングの一部を外径側に膨出させた膨出部が設けられていて、当該膨出部には前記貫通孔が設けられている、
ことを特徴とする電動ポンプ。
【請求項３】
請求項１または２記載の電動ポンプであって、
前記カバーのいずれかの外壁部には、当該外壁部から外方に向かって延伸する延出部が設けられていて、
前記延出部からはコネクタカバーが延伸していて、このコネクタカバーの内部空間には外部のケーブルが差し込まれ、
前記延出部の内部には、一端側が前記接続部に電気的に接続されると共に他端側がコネクタカバーの内部空間に突出する導電部材が設けられている、
ことを特徴とする電動ポンプ。
【請求項４】
請求項１から３のいずれか１項に記載の電動ポンプであって、
前記カバーには、前記接続部に対して電気的に接続されると共に前記モータ部における前記回転軸の駆動を制御する制御基板が取り付けられている、
ことを特徴とする電動ポンプ。
【発明の詳細な説明】
【技術分野】
【０００１】
本発明は、たとえば、車両のブレーキブースタの負圧室内を負圧にするための電動ポンプに関する。
【背景技術】
【０００２】
自動車等の車両には、従来より、たとえばブレーキブースタの負圧室内を負圧にするために、ベーン式のバキュームポンプが用いられている。このようなベーン式のバキュームポンプには、動力として電動モータを用いるタイプの電動ポンプが存在する。
【０００３】
かかる電動ポンプには、モータの回転子に電力を供給するための導電部分が設けられているが、そのような導電部分に関しては、たとえば特許文献１および特許文献２に開示の技術内容がある。特許文献１には、ポンプ部のハウジングに配線孔が設けられ、その配線孔にワイヤハーネスを挿通させ、モータとは反対側の部分でコネクタと接続させる、といった技術内容が開示されている。また、特許文献２には、ベースプレートに対して中間コネクタを着脱自在に設けた構成が開示されている。
【先行技術文献】
【特許文献】
【０００４】
【特許文献１】特開平８−２００２１７号公報
【特許文献２】特開２０１０−２３６５１２号公報
【発明の概要】
【発明が解決しようとする課題】
【０００５】
ところで、特許文献２のように、ベースプレートに中間コネクタを着脱自在に設ける場合、中心側に回転軸が挿通する孔部分のスペースが必要となる関係上、コネクタを始めとする電気的な構成を設けるスペースが限られたものとなる。たとえば、モータが同じであっても（モータの共通化を図っても）、ベースプレートにコネクタだけを設けるタイプもあれば、モータの駆動のための制御基板を設ける等する場合もある。そのような種々の要求に対しては、電気的な構成を設けるスペースが限られている特許文献２に開示の構成は対応しきれない。
【０００６】
そこで、特許文献１に開示の構成のように、モータとは反対側のカバーにコネクタを設けることが考えられるが、特許文献１に示す構成では、柔軟に動くワイヤハーネスを配線孔に挿通させる構成であり、配線孔からワイヤハーネスを引き出す必要があり、またコネクタとの接続にも手間を要するものとなっている。
【０００７】
本発明は上記の事情にもとづきなされたもので、その目的とするところは、電気的な構成を設けるスペースを十分に確保可能であると共に、モータ部の共通化を図ることが可能な電動ポンプを提供しよう、とするものである。
【課題を解決するための手段】
【０００８】
上記課題を解決するために、本発明の第１の観点によると、回転軸を備えると共に、モータカバーの開口側に取り付けられるエンドキャップを備え、このエンドキャップと一体的に設けられ、かつモータカバーの底部から離れる側に向かって延伸する電源バスバーを備えるモータ部と、ベーンを収納するベーン溝を備えると共に回転軸に連結されるロータを備え、外壁部とベーンが摺動するカムリングとが一体的に設けられるポンププレートを備えるポンプ部と、ポンプ部をモータ部とは反対側から覆うと共に、電源バスバーが差し込まれる差込凹部を囲むコネクタボックスを備えるカバーと、を備え、ポンププレートには、電源バスバーを挿通させることが可能な貫通孔が設けられていて、この貫通孔を挿通する電源バスバーには配線が挿通され、配線は貫通孔の先端側から突出していると共に、配線は差込凹部に設けられる接続部に対して電気的に接続される、ことを特徴とする電動ポンプが提供される。
【０００９】
また、本発明の他の側面は、上述の発明において、ポンププレートには、カムリングの一部を外径側に膨出させた膨出部が設けられていて、当該膨出部には貫通孔が設けられている、ことが好ましい。
【００１０】
さらに、本発明の他の側面は、上述の発明において、カバーのいずれかの外壁部には、当該外壁部から外方に向かって延伸する延出部が設けられていて、延出部からはモータ部側に向かいコネクタカバーが延伸していて、このコネクタカバーの内部空間には外部のケーブルが差し込まれ、延出部の内部には、一端側が接続部に電気的に接続されると共に他端側がコネクタカバーの内部空間に突出する導電部材が設けられている、ことが好ましい。
【００１１】
また、本発明の他の側面は、上述の発明において、カバーには、接続部に対して電気的に接続されると共にモータ部における回転軸の駆動を制御する制御基板が取り付けられている、ことが好ましい。
【発明の効果】
【００１２】
本発明によると、電動ポンプにおいて、電気的な構成を設けるスペースを十分に確保可能となる。また、モータ部の共通化を図ることが可能となる。
【図面の簡単な説明】
【００１３】
【図１】本発明の一実施の形態に係る電動ポンプをカバー側から見た構成を示す分解斜視図である。
【図２】本発明の一実施の形態に係る電動ポンプをモータ部側から見た構成を示す分解斜視図である。
【図３】図１の電動ポンプをカバー側から見た正面図である。
【図４】図３のＡ−Ａ線に沿って電動ポンプを切断した構成を側面側から見た状態を示す断面図である。
【図５】図３のＢ−Ｂ線に沿って電動ポンプを切断した構成を側面側から見た状態を示す断面図である。
【図６】図１の電動ポンプの側面図である。
【図７】図６のＣ−Ｃ線に沿って電動ポンプを切断した構成を正面側（カバー側）から見た状態を示す断面図である。
【図８】図６のＤ−Ｄ線に沿って電動ポンプを切断した構成を正面側（カバー側）から見た状態を示す断面図である。
【図９】図６のＥ−Ｅ線に沿って電動ポンプを切断した構成を背面側（モータ部側）から見た状態を示す断面図である。
【図１０】本発明の変形例に係る電動ポンプの構成を示す斜視図である。
【発明を実施するための形態】
【００１４】
以下、本発明の一実施の形態に係る電動ポンプについて、図面に基づいて説明する。
【００１５】
＜１．電動ポンプ１０の構成について＞
図１は、電動ポンプ１０をカバー４０側から見た構成を示す分解斜視図であり、図２は、電動ポンプ１０をモータ部２０側から見た構成を示す分解斜視図である。また、図３は、電動ポンプ１０をカバー４０側から見た構成を示す正面図である。図１から図３に示すように、電動ポンプ１０は、モータ部２０と、ベーンポンプ部３０と、カバー４０とを主要な構成要素としている。
【００１６】
図４は、図３のＡ−Ａ線に沿って電動ポンプ１０を切断した構成を側面側から見た状態を示す断面図である。また、図５は、図３のＢ−Ｂ線に沿って電動ポンプ１０を切断した構成を側面側から見た状態を示す断面図である。図１、図４および図５に示すように、モータ部２０は、エンドキャップ２２と、回転軸２３と、軸受２４と、マグネット２５とを備えていて、これらがモータカバー２１で覆われている。詳述すると、回転軸２３は、モータカバー２１の底部側（一端側）に取り付けられている軸受２４（２４ａ）で、その一端側が軸支されると共に、エンドキャップ２２に取り付けられている軸受２４（２４ｂ）でも軸支されている。なお、回転軸２３の他端側には、複数のインボリュート歯２３ａが形成されている。すなわち、回転軸２３はインボリュートスプライン軸であり、インボリュート歯２３ａに対応する穴（スプライン穴３２１）が後述するロータ３２の中心に設けられている。
【００１７】
エンドキャップ２２は、モータカバー２１の開口側であるベーンポンプ部３０側に取り付けられるが、このエンドキャップ２２の中心側には、回転軸２３を挿通させる中心孔２２１が設けられている（図４参照）。さらに、エンドキャップ２２の中心側には、円周状に突出する円周フランジ部２２２が設けられていて、この円周フランジ部２２２で囲まれた嵌込部２２３に上述の軸受２４ｂが嵌め込まれる。
【００１８】
回転軸２３には回転子２３１が取り付けられていて、この回転子２３１には巻線が巻回されている。また、モータカバー２１の内壁には、回転子２３１に対向する状態でマグネット２５が配置されている。さらに、回転軸２３の回転子よりもベーンポンプ部３０側には整流子２３２が取り付けられていて、この整流子２３２がブラシ２６に接触するように設けられている。
【００１９】
整流子２３２に電力を供給するブラシ２６は、上述のエンドキャップ２２に支持されているブラシ支持部２３３を介して支持されている。それにより、回転軸２３の回転によってブラシ２６に対して整流子２３２が回転しても、ブラシ２６は回転軸２３には追従せずに整流子２３２に電力を供給する。なお、ブラシ支持部２３３は、エンドキャップ２２に一体化されている。従来構成では、ブラシ２６は、エンドキャップ２２とは別体的なブラシプレートによって支持されているが、本実施の形態では、エンドキャップ２２にブラシプレートの機能を持たせたブラシ支持部２３３が一体化された構成を採用している。本実施の形態では、ブラシ支持部２３３が一体化されたエンドキャップ２２は、たとえば樹脂成形により形成されている。
【００２０】
図１および図４に示すように、エンドキャップ２２には、電源バスバー２７が一体的に設けられている。電源バスバー２７は、エンドキャップ２２からベーンポンプ部３０側に向かって突出する長尺状の部分であり、突出方向に直交する方向での断面形状は一対の半円弧と一対の直線とが連結された扁平形状となっている。また、電源バスバー２７にはリード線２８（配線に対応）が存在していて、当該電源バスバー２７の先端からは、リード線２８の一部が飛び出している。リード線２８は、たとえば電源バスバー２７を有するエンドキャップ２２を樹脂成形する際に、たとえばインサート成形等の手法によって電源バスバー２７に埋め込まれた状態で形成される。それにより、長尺状の電源バスバー２７の全体に亘り、ブラシ２６と接続部４６とを電気的につなぐリード線２８が配置可能となっている。ただし、電源バスバー２７の長尺方向に沿う挿通孔を設け、この挿通孔にリード線２８を差し込むように構成しても良い。なお、接続部４６については後述する。
【００２１】
図１、図２、図４および図５に示すように、モータ部２０のエンドキャップ２２は、ＯリングＳ１を介して、ベーンポンプ部３０を構成するポンププレート３１に取り付けられる。ベーンポンプ部３０は、このポンププレート３１以外にも、ロータ３２、ベーン３３およびシールＳ２等を有しているが、それらについては順次説明する。なお、ベーンポンプ部３０は、本実施の形態では、潤滑オイルを用いない乾式かつベーン式のバキュームポンプとして機能する部分である。また、ベーンポンプ部３０は、ポンプ部に対応する。
【００２２】
図６は、電動ポンプ１０の側面図である。また、図７は、図６のＣ−Ｃ線に沿って電動ポンプ１０を切断した構成を正面側（カバー４０側）から見た状態を示す断面図である。また、図８は、図６のＤ−Ｄ線に沿って電動ポンプ１０を切断した構成を正面側（カバー４０側）から見た状態を示す断面図である。
【００２３】
図１および図７に示すように、ポンププレート３１は、外壁部３１１を含めた各部（例えば後述するカム底面３１５等）とカムリング３１３とが一体化されたカムリング一体型のプレートである。しかも、ポンププレート３１は、たとえば熱伝導率の高い材質であるアルミニウム系部材から構成されているが、それ以外の材質（たとえば鉄系部材）から形成されていても良い。なお、アルミニウム系の材料としては、Ａｌ−Ｓｉ系、Ａｌ−Ｓｉ−Ｃｕ系、Ａｌ−Ｆｅ−Ｃｕ系、Ａｌ−Ｓｉ−Ｆｅ−Ｃｕ系などの公知のアルミニウム合金や、アルミニウムまたはアルミニウム合金にＳｉＣ粉末を添加したＡｌ−ＳｉＣ複合材を用いることができる。
【００２４】
図１および図７に示すように、ポンププレート３１の内部構成の全体は、平面視したときに略矩形の外観をなす外壁部３１１で覆われているが、この外壁部３１１にはニップルＮが接続されるニップル接続口部３１２が設けられている。ニップル接続口部３１２は、ポンププレート３１に設けられている吸入路Ｐ（図５参照）の一端側と連通している。なお、吸入路Ｐの他端側は、後述する吸気室Ｃ２に露出していて、この吸気室Ｃ２に気体を導入可能となっている。
【００２５】
ポンププレート３１の中央側には、外壁部３１１で囲まれるカムリング３１３が設けられている。カムリング３１３はポンププレート３１の底面側（モータ部２０側）からカバー４０側に向かって突出するリング状の部分であり、そのカムリング３１３の内壁面がカム面３１４となっている。また、カムリング３１３で囲まれた内部空間の底面側にはカム底面３１５が設けられ、ロータ３２の底面側を受け止めることを可能としている。さらに、カムリング３１３のカバー４０側には、閉塞プレート３４（後述）が取り付けられる。そして、カム面３１４、カム底面３１５および閉塞プレート３４により閉塞された空間であるロータ室Ｃ１が形成される。
【００２６】
図７に示すように、カム面３１４は、楕円形状に設けられていて、その楕円形状の短軸側の長さは、平面視したときに円形状をなすロータ３２の直径と対応している。それにより、ロータ３２をロータ室Ｃ１に配置すると、短軸を境として２つの三日月状の空間（以下、吸気室Ｃ２とする）がロータ室Ｃ１に形成される。なお、吸気室Ｃ２には、上述した吸入路Ｐが連通していて、この吸気室Ｃ２に気体を導入可能となっている。
【００２７】
また、本実施の形態における電動ポンプ１０は潤滑オイルを用いない乾式であるため、カム面３１４には、摺動性を改善するためにコーティング膜が形成されている。このコーティング膜としては、摺動性が改善できるのであれば、その組成や成膜法は特に限定されるものではないが、公知の硬質メッキ膜を採用することが好ましい。このような硬質メッキ膜としては、たとえば、特開２００１−１９２８５０号公報などに例示されるＮｉ−Ｐ−Ｘ系のメッキ膜（Ｘは、Ｗ、Ｃｏ、Ｐｄ、Ｒｅ、Ｙ、Ｍｏ、Ｔｉ、Ｍｎ、Ｖ、Ｚｒ、Ｃｒ、Ｃｕ、Ａｕ、Ａｇ、Ｚｎ、Ｆｅ、Ｐｂ、Ｓｕ、Ｐｔから選択される少なくとも１種の金属。以下、同様。）およびＮｉ−Ｂ−Ｘ系のメッキ膜、特開平４−９４４８９号公報などに例示されるＣｏ−Ｗ系のメッキ膜、ならびに、特許第４１８５５２３号公報などに例示されるＮｉ−Ｃｏ−Ｐ−Ｗ系のメッキ膜、などを挙げることができる。
【００２８】
図１および図７に示すように、ポンププレート３１には、カムリング３１３の一部を外径側に膨出させた膨出部３１６が設けられていて、この膨出部３１６には貫通孔３１７が設けられている。貫通孔３１７は、電源バスバー２７を挿通させる孔部分であり、その電源バスバー２７よりも若干大きな孔形状に設けられている。すなわち、電源バスバー２７を貫通孔３１７に挿通させた場合でも、その電源バスバー２７と貫通孔３１７の内壁面との間には、若干の隙間が存在している。また、ポンププレート３１の外壁部３１１の内周側近傍には、排出管３１８が一体的に設けられている。排出管３１８は、連通孔３４２（後述）からカバー４０の内部に排出された気体を外部に排出するための部分である。なお、ポンププレート３１には、排出管３１８と連通している突出管３１９がモータ部２０側に突出して設けられている。
【００２９】
ロータ３２は、その外観は略円柱状に設けられているが、そのロータ３２の中心側には、上述したインボリュート歯２３ａに対応したスプライン穴３２１が設けられ、そのスプライン穴３２１にインボリュート歯２３ａが噛み合うことで、ロータ３２に回転軸２３の回転力が伝達される。ロータ３２の外周面には複数のベーン溝３２２が設けられていて、そのベーン溝３２２にはベーン３３が移動自在に収納されている。ベーン溝３２２は、ロータ３２の中心軸線Ｌ（図１、図２および図４参照）に平行に設けられ、かつベーン溝３２２はロータ３２の径方向に沿わず、その中心側から外周側に向かうと回転方向に進行する向きに形成されている。このようなベーン溝３２２にベーン３３が配置され、ロータ３２の回転による遠心力でベーン３３がカム面３１４に突き当たることにより、吸気室Ｃ２には圧力室Ｃ３が形成される。圧力室Ｃ３は、吸気室Ｃ２のうちベーン３３とロータ３２で区切られた部分、または隣り合うベーン３３で区切られた部分となっている。
【００３０】
図１および図８に示すように、閉塞プレート３４は、カムリング３１３のカバー４０側の端面に、たとえばネジ等を介して取り付けられ、その取り付けによって閉塞空間であるロータ室Ｃ１が形成される。閉塞プレート３４には、プレス加工による当該閉塞プレート３４の塑性変形でカバー４０側に隆起する凸状部３４１が形成されている。この凸状部３４１のモータ部２０側は、吸入路Ｐ（図５参照）の一部となっている。なお、凸状部３４１のうち回転中心に近い側は、ロータ室Ｃ１に連通する開口部となっている。また、上述のカムリング３１３には、吸入路Ｐを構成する挿通孔Ｐ１の一部が形成されていて、挿通孔Ｐ１は凸状部３４１の回転中心から離れる側と連通している。なお、挿通孔Ｐ１は上述したニップルＮと連通している。
【００３１】
また、閉塞プレート３４には、連通孔３４２が設けられている。連通孔３４２は、吸気室Ｃ２に連通している。なお、凸状部３４１の開口部は、図７に示すような三日月状の吸気室Ｃ２の一端側に連通し、連通孔３４２は三日月状の吸気室Ｃ２の他端側に連通している。そして、ロータ３２の回転方向に沿って見ると、ロータ３２の外周面は凸状部３４１の開口部の近傍を通り、暫く吸気室Ｃ２に沿って進んだ後に連通孔３４２の近傍に差し掛かる。
【００３２】
図１および図２に示すように、ポンププレート３１には、シールＳ２を介してカバー４０が取り付けられる。カバー４０は、ポンププレート３１のうちモータ部２０とは反対側を覆って閉塞する部材である。このカバー４０には、天面部４１と、側面部４２とが設けられていて、天面部４１はポンププレート３１と所定の隙間を隔てて対向している。なお、側面部４２のうちベーンポンプ部３０側には、フランジ部４３が設けられていて、このフランジ部４３は外壁部３１１の端面に当接し、ネジＭを介して外壁部３１１に固定される。また、図５に示すように、天面部４１からポンププレート３１側に向かい複数のリブ４４が突出して設けられていて、このリブ４４は中心軸線Ｌと直交する縦方向および横方向に沿うように設けられている。
【００３３】
図９は、図６のＥ−Ｅ線に沿って電動ポンプ１０を切断した構成を背面側（モータ部２０側）から見た状態を示す断面図である。リブ４４のベーンポンプ部３０側の端面は、図２および図９に示すようなレゾネータプレート５０の着座面となっていて、レゾネータプレート５０がその着座面に設置される。それにより、天面部４１とリブ４４およびレゾネータプレート５０で囲まれた小部屋Ｃ４（図５参照）が形成される。また、図９に示すように、レゾネータプレート５０にはそれぞれの小部屋Ｃ４に連通する孔部５０ａが複数形成されている。そして、その孔部５０ａを介して気体が出入可能となっていて、その小部屋Ｃ４は音の共鳴効果を利用したレゾネータとして機能する。
【００３４】
また、図２、図４、図８および図９に示すように、カバー４０には、その天面部４１からポンププレート３１側に向かってコネクタボックス４５が突出して設けられ、そのコネクタボックス４５に囲まれることにより凹状の差込凹部４５ａが形成される。差込凹部４５ａは、上述した電源バスバー２７を差し込むことを可能としている（図４参照）。また、差込凹部４５ａの天面部４１側には、リード線２８と電気的に接続される接続部４６が設けられていて、電源バスバー２７の差込凹部４５ａへの差し込みによってリード線２８が接続部４６と電気的に接続される。
【００３５】
また、差込凹部４５ａは、膨出部３１６に存在する貫通孔３１７と位置合わせされた状態で設けられている。コネクタボックス４５の開口側には、図１、図２および図４に示すようなグロメット５１が配置され、このグロメット５１は膨出部３１６の端面とも接触している。図４に示すように、グロメット５１は差込凹部４５ａに所定だけ入り込み、そのグロメット５１を介して電源バスバー２７が差込凹部４５ａに差し込まれ、その差し込みによってリード線２８が接続部４６と電気的に接続される。
【００３６】
また、図３、図４、図６および図９等に示すように、コネクタボックス４５の近傍に位置する側面部４２からは、中心軸線Ｌから離れる向きに向かい延出する延出部４７が設けられていて、その延出部４７からは、中心軸線Ｌに平行な状態でモータ部２０側に戻るように延出するコネクタカバー４８が延伸している。
【００３７】
なお、コネクタカバー４８は、モータ部２０側の端部が開口している円筒形状に設けられていて、このコネクタカバー４８に図示を省略するケーブルを差し込むことが可能となっている。また、コネクタカバー４８は、本実施の形態の電動ポンプ１０が取り付けられる車両のコネクタ形状に合わせて、種々の形状に形成することが可能となっている。
【００３８】
また、延出部４７の内部には、一端側が接続部４６に電気的に接続されているコネクタ内バスバー４９が設けられていて（図４参照）、そのコネクタ内バスバー４９の他端側は、コネクタカバー４８の内部空間に突出し、そのコネクタ内バスバー４９は差し込まれたケーブルに対して電気的に接続可能となっている。なお、コネクタ内バスバー４９は、導電部材に対応する。
【００３９】
＜２．電動ポンプ１０の動作について＞
以上のような構成の電動ポンプ１０では、ケーブルからコネクタ内バスバー４９、接続部４６、リード線２８、ブラシ２６および整流子２３２を経て、回転子２３１の巻線に電力が供給され、その電力の供給によって回転子２３１および回転軸２３が回転させられる。
【００４０】
すると、回転軸２３の回転によって、ロータ３２は図７において反時計回りに回転するが、そのロータ３２の回転によって、ベーン３３にはベーン溝３２２から飛び出すような遠心力が作用する。それにより、ベーン３３はカム面３１４に接触するが、ベーン３３が吸気室Ｃ２に差し掛かると、ベーン３３およびロータ３２とカム面３１４の最接近部（一方の最接近部）の間、またはベーン３３と隣り合うベーン３３の間に、圧力室Ｃ３が形成される。圧力室Ｃ３は、ロータ３２の回転方向に沿って暫くは体積が増えるため、凸状部３４１の開口部から空気等の気体が吸引される。しかしながら、ロータ３２とカム面３１４の最接近部（他方の最接近部）に向かってベーン３３が暫く進行すると、圧力室Ｃ３の体積は今度は減少させられて、その内部の気体が圧縮される。そのため、圧力室Ｃ３が連通孔３４２と連通すると、その連通孔３４２から空気等の気体が排出される。
【００４１】
また、連通孔３４２からカバー４０内に気体が入り込むと、その気体の圧力変動（音波）が孔部５０ａを介して入り込むが、このとき特定の周波数の音波においては、小部屋Ｃ４内の空気は共振（共鳴）し、その共振（共鳴）によって孔部５０ａを出入する気体は激しく振動する。それによって摩擦損失が増大し、吸音効果が得られる。そして、連通孔３４２から排出された気体は、排出管３１８を通って外部に排出される。
【００４２】
＜３．効果について＞
以上のような構成の電動ポンプ１０によると、エンドキャップ２２には電源バスバー２７が一体的に設けられ、その電源バスバー２７はポンププレート３１の貫通孔３１７を通過した後に、コネクタボックス４５の差込凹部４５ａに差し込まれる。そして、電源バスバー２７の先端から突出しているリード線２８は、差込凹部４５ａ内の接続部４６に電気的に接続される。
【００４３】
このため、カバー４０側の接続部４６において、リード線２８は電気的に接続される。そのため、モータ部２０側では設計変更をせずに、カバー４０側での設計変更により、種々の取付態様や種々の要求に対応可能となる。すなわち、自動車等においては、種々のコネクタ形状が存在しており、そのような様々なコネクタ形状に対応させて、モータ部２０側にコネクタとの接続部分を設ける場合には、同じようなタイプのモータ部２０であっても、そのコネクタとの接続部分に対応して、成型のための金型を作成する等の必要があり、また、モータ部２０においては回転軸２３の軸心との兼ね合いで成型に際しての精度も要求され、その分だけコストがかさむ状態となる。
【００４４】
しかしながら、上述のように、エンドキャップ２２から電源バスバー２７が突出し、その突出の先端側から突出するリード線２８が、カバー４０の接続部４６と接続する構成を採用する場合には、コネクタとの接続部分に対応する部位は、カバー４０側に設ければ良く、本実施の形態では、そのような部位としてコネクタカバー４８が対応している。そして、かかるコネクタカバー４８を種々のコネクタに対応する形状とすれば、様々なタイプのコネクタへ電気的に接続されるモータ部２０であっても、そのモータ部２０の共通化を図ることが可能となる。
【００４５】
また、本実施の形態では、電気的な構成を設けるスペースを十分に確保可能なカバー４０側に、コネクタ内バスバー４９を始めとした種々の電気的な構成を設けることが可能であり、本実施の形態の電動ポンプ１０は、電気的な構成の変更に対応し易いものとなっている。その具体的な例として、図１〜図９で説明した電動ポンプ１０とは別の電気的構成を有する電動ポンプ１０Ａについて、図１０に基づいて説明する。
【００４６】
図１０は、制御基板１００がカバー４０側に設けられている構成の電動ポンプ１０Ａを示す斜視図である。モータ部２０における回転軸２３の駆動を制御するために、マイクロコンピュータ等が組み込まれた制御基板１００を設ける場合、その制御基板１００を取り付ける部位は、比較的大面積であることが要求される。そのため、従来の電動ポンプでは、制御基板を電動ポンプに取り付けることは難しく、その結果として、制御基板は電動ポンプとは別途の位置に取り付けられる場合が多い状態となっている。
【００４７】
これに対して、本実施の形態では、電気的な構成を設けるスペースを十分に確保可能なカバー４０側に、コネクタ内バスバー４９を始めとした種々の電気的な構成を設けることが可能となっているため、図１０に示すような制御基板１００をカバー４０側に設けることも勿論可能となっている。このため、従来では実現するのが難しいとされていた制御基板１００が一体的に組み込まれた電動ポンプ１０Ａを実現することが可能となっている。
【００４８】
なお、図１０に示すような電動ポンプ１０Ａとする場合、制御基板１００は、カバー４０の天面部４１側に設けられている。この天面部４１は、圧縮工程に際して熱を発生するベーンポンプ部３０から離された配置となっており、さらに天面部４１側にはレゾネータとして機能する小部屋Ｃ４を隔ててベーンポンプ部３０から離れる側に制御基板１００が設けられている。そのため、本実施の形態では、ベーンポンプ部３０で発生する熱の影響が制御基板１００に生じるのを抑制可能となっている。
【００４９】
また、本実施の形態では、ポンププレート３１には、カムリング３１３の一部を外径側に膨出させた膨出部３１６が設けられていて、この膨出部３１６には貫通孔３１７が設けられている。このように膨出部３１６の貫通孔３１７に、電源バスバー２７を挿通させる構成を採用することにより、電源バスバー２７のガイド性が良好となり、接続部４６までの間に電源バスバー２７が曲がる等するのを防止可能となる。また、電源バスバー２７と貫通孔３１７の内壁面との間に若干の隙間が存在することにより、この貫通孔３１７の隙間を介して、ロータ室Ｃ１内の圧縮工程で発生した熱をベーンポンプ部３０の外へ逃がすことが可能となる。また、膨出部３１６を設けることにより、カムリング３１３の表面積は増加するため、その表面積の増加によってもロータ室Ｃ１で発生した熱を放熱させる効果を得ることが可能となる。
【００５０】
さらに、本本実施の形態では、カバー４０には延出部４７およびコネクタカバー４８が設けられていて、このコネクタカバー４８の内部空間には外部のケーブルが差し込まれ、延出部４７の内部には、一端側が接続部４６に電気的に接続されると共に他端側がコネクタカバー４８の内部空間に突出するコネクタ内バスバー４９が設けられている。このため、コネクタカバー４８に外部のケーブルを差し込むだけで、モータ部２０への給電を良好に行わせることが可能となる。
【００５１】
＜変形例＞
以上、本発明の各実施の形態について説明したが、本発明はこれ以外にも種々変形可能となっている。以下、それについて述べる。
【００５２】
上述の実施の形態においては、電動ポンプ１０は、潤滑オイルを用いない乾式のものとなっている。しかしながら、潤滑オイルを用いる湿式の電動ポンプに本発明を適用するようにしても良い。また、本実施の形態では、ポンプ部はベーン式のポンプを用いたベーンポンプ部となっているが、ベーン式以外のポンプを用いたポンプ部に本発明を適用するようにしても良い。
【００５３】
また、上述の実施の形態では、カバー４０には側面部４２から外部に向かって延出部４７が突出し、さらにコネクタカバー４８が延出部４７に連結された構成を採用している。しかしながら、延出部４７を省略して、側面部４２からカバー４０の内部側に向かってコネクタカバー４８に対応する部分が延出する構成を採用しても良い。
【００５４】
また、上述の実施の形態では、カバー４０の側面部４２からは、１つの延出部４７が外部に向かって延出し、さらに１つのコネクタカバー４８が延出部４７に連結された構成を採用している。しかしながら、延出部４７およびコネクタカバー４８の個数は１つに限られるものではなく、２つ以上設けるようにしても良い。たとえば、異なるタイプのケーブルへの接続に対応させたコネクタカバー４８を複数設け、それと同じ個数または少ない個数の延出部４７を設ける構成を採用しても良い。
【符号の説明】
【００５５】
１０，１０Ａ…電動ポンプ
２０…モータ部
２１…モータカバー
２２…エンドキャップ
２３…回転軸
２３ａ…インボリュート歯
２６…ブラシ
２７…電源バスバー
２８…リード線（配線に対応）
３０…ベーンポンプ部（ポンプ部に対応）
３１…ポンププレート
３２…ロータ
３３…ベーン
３４…閉塞プレート
４０…カバー
４１…天面部
４２…側面部
４４…リブ
４５…コネクタボックス
４５ａ…差込凹部
４６…接続部
４７…延出部
４８…コネクタカバー
４９…コネクタ内バスバー
５０…レゾネータプレート
５１…グロメット
１００…制御基板
２３１…回転子
２３２…整流子
３１１…外壁部
３１３…カムリング
３１４…カム面
３１６…膨出部
３１７…貫通孔
３２２…ベーン溝
３４１…凸状部
３４２…連通孔
Ｃ１…ロータ室
Ｃ２…吸気室
Ｃ３…圧力室
Ｃ４…小部屋
【図１】
2014025412.tif 000003
【図２】
2014025412.tif 000004
【図３】
2014025412.tif 000005
【図４】
2014025412.tif 000006
【図５】
2014025412.tif 000007
【図６】
2014025412.tif 000008
【図７】
2014025412.tif 000009
【図８】
2014025412.tif 000010
【図９】
2014025412.tif 000011
【図１０】
2014025412.tif 000012